(57)【要約】【課題】外転型電動機は振れや振動が少ない安定した回転を行うことができ、騒音や振動の少ないシーリングファンを提供することを目的とする。【解決手段】中空軸１を中心に立設した固定子２の外周を囲み回転可能に設けた回転子３と、固定子２の上方位置に、中空軸１の上下に固定した上ころがり軸受４と下ころがり軸受５からなる上下ころがり軸受６と、上下ころがり軸受の外周側に嵌入されて支持される軸受収納部７と回転子３を連結する回転子支持部８と、軸受収納部７の内周面９より上下ころがり軸受６間に突設した台座部１０と上ころがり軸受４間に弾性体１１を備えて外転型電動機を設けることにより、振れや振動が少ない安定した回転を行うことができ、騒音や振動の少ないシーリングファンを得られる。【選択図】図１
2008128027.tif 000002
【特許請求の範囲】
【請求項１】
中空軸を中心に立設した円板状の固定子と、この固定子の外周を囲み回転可能に設けた回転子と、前記固定子の上方位置に、前記中空軸に上下に固定した上ころがり軸受と下ころがり軸受からなる一対の上下ころがり軸受と、この上下ころがり軸受の外周側に嵌入されて前記中空軸を中心に回転可能に支持される円筒状の軸受収納部と、この軸受収納部と前記回転子を一体的に連結する回転子支持部と、前記軸受収納部の内周面より上下ころがり軸受間に突設した台座部と、この台座部と前記上ころがり軸受間に弾性体を挿入して形成した外転型電動機を備え、前記外転型電動機の回転子にブレードを設け構成したシーリングファン。
【請求項２】
軸受収納部の上下には上下ころがり軸受を嵌入する上開口部と下開口部を設け、前記上下ころがり軸受と前記軸受収納部をすきまばめとし、前記上下ころがり軸受と中空軸との嵌合をしまりばめとして構成した請求項１記載のシーリングファン。
【請求項３】
軸受収納部の外周側に設けた回転子支持部の支点を、軸受収納部の台座部に対して反対側に設けた請求項１または２記載のシーリングファン。
【請求項４】
回転子支持部の軸受収納部から延設する方向を水平方向とした請求項３記載のシーリングファン。
【請求項５】
中空軸の上端部から上ころがり軸受の嵌入部の直前までの範囲を導入部として設け、前記導入部の外径寸法を上下ころがり軸受の内径とすきまばめとなる寸法関係に設け、固定子に圧着固定された中空軸に、下ころがり軸受、回転子と一体に設けた軸受収納部、弾性体、上ころがり軸受を、プレス作業による１工程にて組み付け可能とした請求項１記載のシーリングファン。
【請求項６】
上ころがり軸受が収納される円筒状の軸受収納部の上端と、上ころがり軸受の上端を面一に合わせた請求項２記載のシーリングファン。
【請求項７】
台座部と下ころがり軸受間に、弾性体を挿入した請求項１または２記載のシーリングファン。
【請求項８】
台座部と上ころがり軸受または下ころがり軸受との間に配置する弾性体として波ワッシャーを使用した請求項１または７記載のシーリングファン。
【請求項９】
固定子巻線の温度を検知する温度過昇保護装置を、固定子の固定子巻線の下面に配置した請求項１記載のシーリングファン。
【請求項１０】
外転型電動機を制御する回路基板を基板保持具に設け、前記基板保持具を固定子の下面に直接取り付けた請求項１記載のシーリングファン。
【請求項１１】
回路基板または基板保持具を水平方向に配置し、前記回路基板または基板保持具に水平を基準とした検知手段を設けた請求項１０記載のシーリングファン。
【請求項１２】
固定子の下面に照明取付部を備え、前記照明取付部に回転子の直下に接近して照明器具を取付可能に設けた請求項１記載のシーリングファン。
【請求項１３】
固定子の下面に照明器具を取付可能な引掛ローゼットを設けた請求項１または１２記載のシーリングファン。
【発明の詳細な説明】
【技術分野】
【０００１】
本発明は、外転型電動機により駆動されるシーリングファンに関する。
【背景技術】
【０００２】
従来、この種のシーリングファンの一例として外転型モータを使用した天井扇が知られている（例えば、特許文献１参照）。
【０００３】
以下、その天井扇について図１６および図１７を参照にしながら説明する。
【０００４】
図に示すように、外転型モータの外側回転子１０１を埋込んだ上ケース１０２の中央に筒部１０３を形成し、筒部１０３内に上ころがり軸受１０４を圧入し、上ころがり軸受１０４内に内側固定子１０５の垂直中心軸１０６を挿通し、垂直中心軸１０６にあらかじめ圧着嵌合してある他の下ころがし軸受１０７を、中央の筒部１０３内に挿入するとともに、上下両ころがり軸受１０４，１０７の内輪１０８、１０９間および外輪１１０、１１１間の一方にカラー１１２を、他方にコイルスプリング１１３を設け、上ころがり軸受１０４は筒部１０３にしまりばめとなり、下ころがり軸受１０７はカラー１１２を遊嵌したのち、垂直中心軸１０６にすきまばめの嵌合状態にて構成されている。
【特許文献１】実公昭５６−４１１１５号公報（第２項、第１図、第２図）
【発明の開示】
【発明が解決しようとする課題】
【０００５】
このような従来の天井扇では、上ころがり軸受１０４の外輪１１０は、軸受収納部となる筒部１０３内にしまりばめにより固定され、内輪１０８は垂直中心軸１０６にすきまばめで結合され、下ころがり軸受１０７は、外輪１１１と筒部１０３はすきまばめ、内輪１０９と垂直中心軸１０６間はしまりばめで結合されていることにより、ロータの自重が筒部１０３の上端部から上ころがり軸受１０４の外輪１１０を押し下げる方向に加わるために、上下ころがり軸受１０４、１０７にコイルスプリング１１３などの弾性体を挿入しているものの、運転に伴いコイルスプリング１１３の変形や劣化が進行して、上下ころがり軸受１０４、１０７に対して常に一定の適正予圧を与えることができないため、早期段階で上下ころがり軸受１０４、１０７内部の摺動面にひずみを生じ摺動音が発生するという課題があり、摺動音を軽減することが要求されている。
【０００６】
また、上下ころがり軸受１０４、１０７ともに同一方向の予圧（外輪と内輪に加わる圧力差により、ころがり軸受が少し変形しながら内部のボールが外輪および内輪と接触して回転するときに、接触部間のなす角度を接触角と称し、このとき発生する圧力）を受けるため、上下ころがり軸受１０４、１０７内のボールは同方向の接触角で保持されることとなり、軸受構造の剛性が弱く、騒音、振れの原因となるという課題があり、軸受に加わる負荷を軽減することが要求されている。
【０００７】
本発明は、このような従来の課題を解決するものであり、外転型電動機は振れや振動が少ない安定した回転を行うことができ、騒音や振動の少ないシーリングファンを提供することを目的としている。
【課題を解決するための手段】
【０００８】
本発明のシーリングファンは上記目的を達成するために、中空軸を中心に立設した円板状の固定子と、この固定子の外周を囲み回転可能に設けた回転子と、前記固定子の上方位置に、前記中空軸に上下に固定した上ころがり軸受と下ころがり軸受からなる一対の上下ころがり軸受と、この上下ころがり軸受の外周側に嵌入されて前記中空軸を中心に回転可能に支持される円筒状の軸受収納部と、この軸受収納部と前記回転子を一体的に連結する回転子支持部と、前記軸受収納部の内周面より上下ころがり軸受間に突設した台座部と、この台座部と前記上ころがり軸受間に弾性体を挿入して形成した外転型電動機を備え、前記外転型電動機の回転子にブレードを設け構成したものである。
【０００９】
この手段により、上下ころがり軸受に加わる負荷を軽減することができるとともに、外転型電動機は振れや振動の少ない安定した回転を行い、騒音や振動の少ないシーリングファンが得られる。
【００１０】
また、他の手段は、軸受収納部の上下には上下ころがり軸受を嵌入する上開口部と下開口部を設け、前記上下ころがり軸受と前記軸受収納部をすきまばめとし、前記上下ころがり軸受と中空軸との嵌合をしまりばめとして構成としたものである。
【００１１】
この手段により、寸法精度を高めて組み立てることができ、また、内輪側で上下方向に一定の距離を保持するための部品を削減できるシーリングファンが得られる。
【００１２】
また、他の手段は、軸受収納部の外周側に設けた回転子支持部の支点を、軸受収納部の台座部に対して反対側に設けたものである。
【００１３】
この手段により、外転型電動機の電気的騒音を低減することが可能となるシーリングファンが得られる。
【００１４】
また、他の手段は、回転子支持部の軸受収納部から延設する方向を水平方向としたものである。
【００１５】
この手段により、ダイカスト金型製作時に精度を保ちやすい簡単な形状とすることができ、また、ダイカスト部品として寸法管理においても容易に検査できるシーリングファンが得られる。
【００１６】
また、他の手段は、中空軸の上端部から上ころがり軸受の嵌入部の直前までの範囲を導入部として設け、前記導入部の外径寸法を上下ころがり軸受の内径とすきまばめとなる寸法関係に設け、固定子に圧着固定された中空軸に、下ころがり軸受、回転子と一体に設けた軸受収納部、弾性体、上ころがり軸受をプレス作業により１工程にて組み付け可能としたものである。
【００１７】
この手段により、工数削減が可能となるとともに、組立時のころがり軸受へのダメージを緩和することができるシーリングファンが得られる。
【００１８】
また、他の手段は、上ころがり軸受が収納される円筒状の軸受収納部の上端と、上ころがり軸受の上端を面一に合わせたものである。
【００１９】
この手段により、上ころがり軸受が、弾性体とともに正確に収納されていることを目視確認できるとともに、軸受収納部の上端を基準面としてプレス作業を行うことができ、組立作業性を容易にするとともに、完成度の高い品質を確保することができるシーリングファンが得られる。
【００２０】
また、他の手段は、台座部と下ころがり軸受間に、弾性体を挿入したものである。
【００２１】
この手段により、衝撃やブレードの微少振動が中空軸側に伝達されないようにするとともに、下ころがり軸受が損傷しないようにすることができるシーリングファンが得られる。
【００２２】
また、他の手段は、台座部と上ころがり軸受または下ころがり軸受との間に配置する弾性体として波ワッシャーを使用したものである。
【００２３】
この手段により、薄型化することができるシーリングファンが得られる。
【００２４】
また、他の手段は、固定子巻線の温度を検知する温度過昇保護装置を、固定子の固定子巻線の下面に配置したものである。
【００２５】
この手段により、検出温度の測定精度を保つことができるとともに、組立作業性を改善して工数削減をすることができ、また、配線が傷つくこともなく、安全に接続することが可能となるシーリングファンが得られる。
【００２６】
また、他の手段は、外転型電動機を制御する回路基板を基板保持具に設け、前記基板保持具を固定子の下面に直接取り付けたものである。
【００２７】
この手段により、組立作業性の改善および工数削減を図ることができるとともに中空軸によって内部配線に傷をつけることなく接続することが可能となるシーリングファンが得られる。
【００２８】
また、他の手段は、回路基板または基板保持具を水平方向に配置し、前記回路基板または基板保持具に水平を基準とした検知手段を設けたものである。
【００２９】
この手段により、異常運転や地震による振れに応答して安全に運転を停止することができるシーリングファンが得られる。
【００３０】
また、他の手段は、固定子の下面に照明取付部を備え、前記照明取付部に回転子の直下に近接して照明器具を取付可能に設けたものである。
【００３１】
この手段により、吊り下げ強度が確保できるとともに、一般に使用される大口径で薄型の照明器の設置できるシーリングファンが得られる。
【００３２】
また、他の手段は、固定子の下面に照明器具を取り付け可能な引掛ローゼットを設けたものである。
【００３３】
この手段により、照明器具取付時の施工性の向上と、照明器具のバリエーションを増やすことができるシーリングファンが得られる。
【発明の効果】
【００３４】
本発明によれば、上下ころがり軸受の加わる負荷を軽減することができるとともに、外転型電動機は振れや振動の少ない安定した回転を行い、騒音や振動の数内という効果のあるシーリングファンを提供できる。
【００３５】
また、寸法精度を高めて組み立てることができるとともに、内輪側で上下方向に一定の距離を保持するための部品を削減できるという効果のあるシーリングファンを提供できる。
【００３６】
また、外転型電動機の電気的騒音を低減することが可能となるという効果のあるシーリングファンを提供できる。
【００３７】
また、ダイカスト金型制作時に精度を保ちやすい簡単な形状とすることができるとともに、ダイカスト部品として寸法管理においても容易に検査できるという効果のあるシーリングファンを提供できる。
【００３８】
また、工数削減が可能となるとともに、組立時のころが軸受へのダメージを緩和することができるという効果のあるシーリングファンを提供できる。
【００３９】
また、上ころがり軸受が、弾性体とともに正確に収納されていることを目視確認できるとともに、軸受収納部の上端を基準面としてプレス作業を行うことができ、組立作業性を容易にするとともに完成度の高い品質を確保できるという効果のあるシーリングファンを提供できる。
【００４０】
また、衝撃やブレードの微少振動が中空軸側に伝達されないようにできるとともに、下ころがり軸受が損傷しないようにすることができるという効果のあるシーリングファンを提供できる。
【００４１】
また、薄型化することができるという効果のあるシーリングファンを提供できる。
【００４２】
また、検出温度の測定精度を保つことができるとともに、組立作業性を改善して工数削減をすることができ、また配線が傷つくこともなく、安全に接続することが可能となるという効果のあるシーリングファンを提供できる。
【００４３】
また、異常運転や地震による振れに応答して安全に運転を停止することができるという効果のあるシーリングファンを提供できる。
【００４４】
また、吊り下げ強度が確保できるとともに、一般に使用される大口径で薄型の照明器の設置ができるという効果のあるシーリングファンを提供できる。
【００４５】
また、照明器具取付時の施工性の向上と、照明器具のバリエーションを増やすことができるという効果のあるシーリングファンを提供できる。
【発明を実施するための最良の形態】
【００４６】
本発明の請求項１記載の発明は、中空軸を立設した円板上の固定子と、この固定子の外周を囲み、回転可能に設けた回転子と、前記固定子の上方位置に、前記中空軸に上下に固定した上ころがり軸受と下ころがり軸受からなる一対の上下ころがり軸受と、この上下ころがり軸受の外周側に嵌入されて前記中空軸を中心に回転可能に支持される円筒状の軸受収納部と、この軸受収納部と前記回転子を一体的に連結する回転子支持部と、前記軸受収納部の内周面より上下ころがり軸受間に突設した台座部と、この台座部と前記上ころがり軸受間に弾性体を挿入して形成した外転型電動機を備え、前記外転型電動機の回転子にブレードを設けたものであり、筒状の軸受収納部は略中央付近に台座部と回転子支持部を内形に形成しているので、軸受収納部の剛性が向上して上下ころがり軸受の保持力を高めることができる。
【００４７】
また、軸受収納部に設けた台座部を上下ころがり軸受間に突設することにより、回転子の自重が軸受収納部を介して上下ころがり軸受にした方向の荷重として加わるときに、下ころがり軸受の外輪側には台座部から下方向の負荷が加わるが、上ころがり軸受には負荷が軽減するとともに、弾性体の介在により上ころがり軸受には押し上げ力が働くので、上方向に負荷が加わるため、それぞれを合計すると、上下ころがり軸受に加わる負荷は、従来に比べて大きく軽減することができる。
【００４８】
すなわち、上ころがり軸受にばね等の弾性体によって上方向に押し上げ力を与え、下ころがり軸受には自重と弾性体によって下方向に押し下げ力を与えることができるようになることで、上下ころがり軸受内の球体は相反する方向の接触角で保持されるとともに、上下ころがり軸受には略一定の適正予圧を与えることができる。
【００４９】
このように軸受収納部に収納された上下ころがり軸受に加わる負荷を軽減することができるとともに、軸受収納部は剛性が向上して上下ころがり軸受を強固に保持できるので、軸受収納部の回転に伴う振れや振動を大幅に軽減して、外転型電動機は振れや振動の少ない安定した回転を行うことができるので、騒音や振動の少ない作用を有する。
【００５０】
また、本発明の請求項２記載の発明は、軸受収納部の上下には上下ころがり軸受を嵌入する上開口部と下開口部を設け、前記上下ころがり軸受と前記軸受収納部をすきまばめとし、前記上下ころがり軸受と中空軸との嵌合をしまりばめとしたものであり、軸受収納部の上開口部と中空軸との嵌合をしまりばめとしたものであり、軸受収納部の上開口部から上ころがり軸受を嵌入することができ、下開口部から下ころがり軸受を嵌入することができるので、上下ころがり軸受を同一方向から嵌入する従来の組立方法に比べて、寸法精度を高めて組み立てることができ、また、上下ころがり軸受と中空軸との嵌合をしまりばめとしているので、従来では必要であった内輪側で上下方向に一定の距離を保持するための部品（カラー）を削減することができる作用を有する。
【００５１】
また、本発明の請求項３記載の発明は、軸受収納部の外周側に設けた回転子支持部の支点を軸受収納部の台座部に対して反対側に設けたものであり、回転子支持部の軸受収納部から延設する始点を台座部の裏面に合わせることにより、回転子を上下こりがり軸受の略中央を中心とした回転体、すなわち上下ころがり軸受に挟まれた中空軸の最も振れの少ない支点を中心とした回転体とすることができ、電動機を運転するときの振れや振動の影響を受けにくく、固定子と回転子の間隔を均一に保てる構造となり、電動機の電気的騒音を低減することが可能となる作用を有する。
【００５２】
また、本発明の請求項４記載の発明は、回転子時部の軸受収納部から延設する方向を水平方向としたものであり、回転支持部の軸受収納部から延設する方向を水平方向とすることにより、軸受収納部を中心として回転子支持部が左右方向に水平に延びた回転体とすることができるので断面形状では回転子支持部と台座部を含めた一直線上の形状となり、ダイカストの金型制作時に精度を保ちやすい簡単な形状とすることができ、また、ダイカスト部品として寸法管理においても容易に検査できる形状とすることができる作用を有する。
【００５３】
また、本発明の請求項５記載の発明は、中空軸の上端部から上ころがり軸受の嵌入部の直前までの範囲を導入部として設け、前記導入部の外径寸法を上下ころがり軸受の内径とすきまばめとなる寸法関係に設け、固定子に圧着固定された中空軸に、下ころがり軸受、回転子と一体に設けた軸受収納部、弾性体、上ころがり軸受を、プレス作業による１工程にて組み付け可能としたものであり、複数工程に分かれていた作業をプレス作業による１工程にすることができ、工数削減が可能となるとともに、中空軸に導入部を形成することにより、ころがり軸受への挿入を円滑に行うことができ、組立時のころがり軸受へのダメージを緩和することができる作用を有する。
【００５４】
また、本発明の請求項６記載の発明は、上ころがり軸受が収納される円筒状の軸受収納部の上端と、上ころがり軸受の上端を面一に合わせたものであり、軸受収納部の上端と、上ころがり軸受の上端を面一の寸法関係とすることにより、軸受収納部の上部に上ころがり軸受が、弾性体とともに性格に収納されていることを目視確認できるとともに、軸受収納部の上端を基準面としてプレス作業を行うことができ、組立作業性を容易にするとともに、完成度の品質を確保することができる作用を有する。
【００５５】
また、本発明の請求項７記載の発明は、台座部と下ころがり軸受間に、弾性体を挿入したものであり、台座部を介して下ころがり軸受に直接伝わる衝撃や、ブレードの微少振動が中空軸側に伝達されないようにするとともに、下ころがり軸受が損傷しないようにできる作用を有する。
【００５６】
また、本発明の請求項８記載の発明は、台座部と上ころがり軸受または下ころがり軸受との間に配置する弾性体として波ワッシャーを使用したものであり、台座部ところがり軸受の隙間を小さく設定でき、軸受収納部の高さ寸法および外転型電動機の中空軸方向の寸法を小さくして、構成部品を小型化するとともに、シーリングファンを薄型化することができる作用を有する。
【００５７】
また、本発明の請求項９記載の発明は、固定子巻線の温度を検知する温度過昇保護装置を、固定子の固定子巻線の下面に配置したものであり、固定子巻線と温度過昇保護装置からくる内部配線を中空軸に通すことなく本体回路に接続することができるため、温度検出を確実に行うことができるとともに、組立作業性を改善して工数を削減することができ、さらに中空軸のエツジなどに当接して内部配線が傷つくことなく、安全に接続することが可能となる作用を有する。
【００５８】
また、本発明の請求項１０記載の発明は、外転型電動機を制御する回路基板を基板保持具に設け、前記基板保持具を固定子の下面に直接取り付けたものであり、回路基板を固定子の下面に配置することにより固定子からくる内部配線を中空軸に通すことなく回路基板に接続することができるため、組立作業性改善、工数削減することができるとともに中空軸によって内部配線に傷をつけることなく接続することが可能となる作用を有する。
【００５９】
また、本発明の請求項１１記載の発明は回路基板または基板保持具を水平方向に配置し、前記回路基板または基板保持具に水平を基準とした検知手段を設けたものであり、固定子の下面に水平方向に回路基板または基板保持具を配置することにより、水平度を基準とした検値手段を設けて計測することが可能となり、運転時の異常振動を検知する振動センサ、固定子と回転子の隙間のバラツキを検知するセンサ、回転数を検知するセンサなどの検知手段を設けることにより、シーリングファンの異常運転や地震による振れに応答して安全に運転を停止することができる作用を有する。
【００６０】
また、本発明の請求項１２記載の発明は、固定子の下面に照明取付部を備え、前記照明取付部に回転子の直下に近接して照明器具を取付可能に設けたものであり、固定子の下面に設けた照明取付部に、回転子の直下に近接して照明器具を取り付けることができることにより、重量の大きい照明器具を設置する場合に、吊り下げ強度が確保できるとともに、水平度も維持して取付できるので、回転子の直下に近接して照明器具を取り付けることが可能となり、一般に使用される大口径で照明器の設置が可能となる作用を有する。
【００６１】
また、本発明の請求項１３記載の発明は、固定子の下面に照明器具を取り付け可能な引掛ローゼットを設けたものであり、固定子の下面に引掛けローゼットを設けた構成により、市販の引掛ローゼットに直接取付可能な照明器具を設置可能となり、照明器具取付時の施工性の向上と照明器具のバリエーションを増すことが可能となる作用を有する。
【００６２】
以下、本発明の実施の形態について図面を参照しながら説明する。
【００６３】
（実施の形態１）
図１〜図６に示すように、中空軸を中心に立設した円板状の固定子２と、固定子２の外周を囲み回転可能に設けた回転子３と、固定子２の上方位置で中空軸１に上下に固定された上ころがり軸受４と下ころがり軸受５からなる一対の上下ころがり軸受６と、上下ころがり軸受６の外周側に嵌入されて中心軸１を中心に回転可能に支持される円筒状の軸受収納部７と、軸受収納部７と回転子３を一体的に連結する回転子支持部８と、軸受収納部７の内周面９より上下ころがり軸受６間に突設した台座部１０と、台座部１０と上ころがり軸受４間に弾性体１１を挿入して形成した外転型電動機１２を備え、外転型電動機１２の回転子３にブレード１３をもうける。
【００６４】
また、軸受収納部７の上下には上下ころがり軸受６を嵌入する上開口部１４と、下開口部１５を設け、上下ころがり軸受６と軸受収納部７をすきまばめとし、上下ころがり軸受６と中空軸１との嵌合をしまりばめで設け、軸受収納部７より放射状に設けた回転子支持部８の外周側の支点８ａを、軸受収納部７の台座部１０に対して反対側に設け、回転子支持部８の軸受収納部７から延設する方向を水平方向に設ける。
【００６５】
また、中空軸１の上端部１６から上ころがり軸受４の嵌入部１７の直前までの範囲を導入部１８として設け、導入部１８の外径寸法を上下ころがり軸受６の内径とすきまばめとなる寸法関係に設け、固定子２に圧着固定された中空軸１に、下ころがり軸受５と回転子３と一体に設けた軸受収納部７および、弾性体１１と上ころがり軸受４をプレス作業による１工程にて組み付け可能に設け、上ころがり軸受４が収納される円筒状の軸受収納部７の上端１９と、上ころがり軸受４の上端１９Ａを面一に合わせ構成する。
【００６６】
上記構成において、中空軸１を中心に立設した円板状の固定子２と、固定子２の外周を囲み回転可能に設けた回転子３と、固定子２の上方位置で中空軸１に、上下に固定された上ころがり軸受４と下ころがり軸受５からなる一対の上下ころがり軸受６と、上下ころがり軸受６の外周側に嵌入されて中心軸１を中心に回転可能に支持される円筒状の軸受収納部７と、軸受収納部７と回転子３を一体的に連結する回転子支持部８と、軸受収納部７の内周面９より上下ころがり軸受６間に突設した台座部１０と、台座部１０と上ころがり軸受４間に弾性体１１を挿入して形成した外転型電動機１２を備え、外転型電動機１２の回転子３にブレード１３を設けたので、筒状の軸受収納部７は略中央付近に台座部１０と回転子支持部８を内外に形成されることにより、軸受収納部７の剛性が向上して上下ころがり軸受６の保持力を高めることができる。
【００６７】
また、軸受収納部７に設けた台座部１０を上下ころがり軸受６間に突設することにより、回転子３の自重が軸受収納部７を介して上下ころがり軸受６に下方向の荷重として加わるときに、下ころがり軸受５の外輪２３には台座部１０から下方向の負荷が加わるが、上ころがり軸受４には負荷が軽減するとともに、弾性体１１の介在により上ころがり軸受４には押し上げ力が働くので、上方向に負荷が加わるため、それぞれを合計すると、上下ころがり軸受６に加わる負荷は従来に比べて大きく軽減することができる。
【００６８】
すなわち、図５に示すように、上ころがり軸受４には、ばね等の弾性体１１によって上方向に押し上げ力を与え、下ころがり軸受５には自重と弾性体１１によって下方向に押し下げ力を与えることができるようになることで、上下ころがり軸受６内の球体２０は相反する方向の接触角２１で保持されるとともに、上下ころがり軸受６の予圧方向２２は、上ころがり軸受４には上向きの予圧が加わり、下ころがり軸受５には下向きの予圧が加わり、略一定の適正予圧をかえることができる。
【００６９】
そして、実施の形態１の本願発明と比較するために、図６に従来の場合を同一符号を付けて比較しており、接触角２１は同一方向で、予圧方向２２は下向きの予圧が加わっていることがわかる。
【００７０】
このように軸受収納部７に収納された上下ころがり軸受６に加わる負荷を軽減することができるとともに、軸受収納部７は剛性が向上して上下ころがり軸受６を強固に保持できるので、軸受収納部７の回転に伴う振れや振動を大幅に軽減して、外転型電動機は振れや振動の少ない安定した回転を行うことができるので、騒音や振動の少ないシーリングファンを得ることができることとなる。
【００７１】
また、軸受収納部７の上下には上下ころがり軸受６を嵌入する上開口部１４と下開口部１５を設け、上下ころがり軸受６と軸受収納部７をすきまばめとし、上下ころがり軸受６と中空軸１との嵌合をしまりばめで構成したので軸受収納部７の上開口部１４から上ころがり軸受４を嵌入することができ、下開口部１５からは下ころがり軸受５を嵌入することができることとなり、上下ころがり軸受６を同一方向から嵌入する従来の組立方法に比べて、寸法精度を高めて組み立てることができ、また、上下ころがり軸受６と中空軸１との嵌合をしまりばめとしているので、従来では必要であった内輪２４側で上下方向に一定の距離を保持するための部品（カラー）を削減することができることとなる。
【００７２】
また、軸受収納部７より放射状に設けた回転子支持部８の外周側の支点８ａを、軸受収納部７の台座部１０に対して反対側に設けたので、回転子支持部８の軸受収納部７から延設する支点を台座部１０の裏面に合わせることにより、回転子３を上下ころがり軸受６の略中央を中心とした回転体、すなわち、上下ころがり軸受６に挟まれた中空軸１の最も振れの少ない地点を中心とした回転体とすることができ、外転型電動機１２を運転するときの振れや振動の影響を受けにくく、固定子２と回転子３の間隔を均一に保てる構造となって、外転型電動機１２の電機的騒音を低減することが可能となることとなる。
【００７３】
また、回転子支持部８の軸受収納部７から延設する方向を水平方向に設けたので、軸受収納部７を中心として回転子支持部８が左右方向に水平に延びた回転体とすることができることとなり、断面形状で回転子支持部８と台座部１０を含めた一直線上の形状となり、ダイカストの金型製作時に精度を保ちやすい簡単な形状とすることができ、また、ダイカスト部品として寸法管理においても容易に検査できる形状とすることができることとなる。
【００７４】
また、中空軸１の上端部１６から上ころがり軸受４の嵌入部１７の直前までの範囲を導入部１８として設け、導入部１８の外径寸法を上下ころがり軸受６の内径とすきまばめとなる寸法関係に設け、固定子２には圧着固定された中空軸１に、下ころがり軸受５と回転子３と一体に設けた軸受収納部７および弾性体１１と上ころがり軸受４をプレス作業による１工程にて組み付け可能に設けたので、複数工程に分かれていた作業をプレス作業による１工程にすることができ、工数削減が可能となるとともに、中空軸１に導入部１８を形成することにより、上下ころがり軸受６への挿入を円滑に行うことができ、組立時の上下ころがり軸受６へのダメージを緩和することができることとなる。
【００７５】
また、上ころがり軸受４が収納される円筒状の軸受収納部７の上端１９と、上ころがり軸受４の上端１９Ａを面一に合わせたもので、軸受収納部７の上部に上ころがり軸受４が弾性体１１とともに正確に収納されていることを目視確認できるとともに、軸受収納部７の上端１９を基準面としてプレス作業を行うことができ、組立作業性を容易にするとともに、完成度の高い品質を確保することができることとなる。
【００７６】
（実施の形態２）
図７に示すように、台座部１０Ａと下ころがり軸受５Ａ間に、弾性体１１Ａを挿入し構成する。
【００７７】
上記構成において、台座部１０Ａを介して下ころがり軸受５Ａに直接伝わる衝撃や、ブレード（図示せず）の微少振動が中空軸１に伝達されないようにするとともに、下ころがり軸受５Ａが損傷しないように保護することができることとなる。
【００７８】
（実施の形態３）
図８に示すように、台座部１０Ｂと上ころがり軸受４Ａまたは下ころがり軸受５Ｂとの間に配置する弾性体として波ワッシャー２５を使用した構成とする。
【００７９】
上記構成において、台座部１０Ｂと上ころがり軸受４Ａおよび下ころがり軸受５Ｂとの隙間を小さく設定でき、軸受収納部７の高さ寸法および外転型電動機１２の中空軸１方向の寸法を小さくして、構成部品を小型化するとともに、シーリングファンを薄型化することができることとなる。
【００８０】
（実施の形態４）
図９および図１０に示すように、固定子巻線２６の温度を検知する温度過昇保護装置２７を、固定子２Ａの固定子巻線２６の下面に配置し構成する。
【００８１】
上記構成において、固定子巻線２６と温度過昇保護装置２７からの内部配線２８を中空軸１に通すことなく本体回路にそのまま接続することができるため、配線を引き回すこともなく、検出データに誤差を生じないようにして検出温度の測定精度を保つことができるとともに、組立作業を改善して工数削減を図ることができ、さらに中空軸１を通すときにエツジなどに接触して内部配線２８が傷つくこともなく、安全に接続することができることとなる。
【００８２】
（実施の形態５）
図１１に示すように、外転型電動機１２Ａを制御する回路基板２９を基板保持具３０に設け、基板保持具３０を固定子２Ｂの下面に直接取り付け、回路基板２９または基板保持具３０を水平方向に配置し、回路基板２９または基板保持具３０に水平を基準とした検知手段３１を設け構成する。
【００８３】
上記構成において、外転型電動機１２Ａを制御する回路基板２９を基板保持具３０に設け、基板保持具３０を固定子２Ｂの下面に直接取り付けたので、回路基板２９を固定子２Ｂの下面に配置することにより、固定子２Ｂからくる内部配線（図示せず）を中空軸１に通すことなく、回路基板２９に接続することができないため、組立作業性の改善および工数削減を図ることができるとともに、中空軸１によって内部配線に傷をつけることなく接続することが可能となることとなる。
【００８４】
また、回路基板２９または基板保持具３０を水平方向に配置し、回路基板２９または基板保持具３０に水平を基準とした検知手段３１を設けたので、固定子２Ｂの下面に水平方向に回路基板２９または基盤保持具３０を配置することにより、水平度を基準とした検知手段３１を設けて計測することが可能となり、運転時の異常振動を検知する振動センサ、固定子２Ｂと回転子３の隙間のばらつきを検知するセンサ、回転数を検知するセンサなどの検知手段３１を設けることにより、シーリングファンの異常運転や地震による振れに応答して、安全に運転を停止することができることとなる。
【００８５】
（実施の形態６）
図１２および図１３に示すように、固定子２Ｃの下面に照明取付部３２を備え、照明取付部３２に回転子３Ａの直下に近接して照明器具３３を取付可能に設け構成する。
【００８６】
上記構成において、重量の重い照明器具３３を設置する場合に、吊り下げ強度が確保できるとともに、水平度も維持して取付できるので、回転子３Ａの直下に近接して照明器具３３を取り付けることが可能となり、一般に使用される大口径で薄型の照明器具３３の設置が可能となることとなる。
【００８７】
（実施の形態７）
図１４および図１５に示すように、固定子２Ｄの下面に照明器具３３Ａを取り付け可能な引掛ローゼット３４を設け構成する。
【００８８】
上記構成において、市販の引掛ローゼット３４に直接取付可能な照明器具３３Ａを設置可能となり、照明器具３３Ａの取付時の施工性の向上と、照明器具３３Ａのバリエーションを増やすことが可能となることとなる。
【産業上の利用可能性】
【００８９】
本発明にかかるシーリングファンは、上下ころがり軸受に加わる負荷を軽減することができるとともに、外転型電動機は振れや振動の少ない安定した回転を行い、騒音や振動のない効果を有し、外転型電動機により駆動されるシーリングファン等として有用である。
【図面の簡単な説明】
【００９０】
【図１】本発明の実施の形態１のシーリングファンの内部構造を示す断面図
【図２】同シーリングファンの斜視図
【図３】同シーリングファンの外転型電動機の上面図
【図４】同シーリングファンの組立時の構成を示す分解断面図
【図５】同シーリングファンの接触角と予圧方向を示す模式断面図
【図６】同シーリングファンの接触角と予圧方向を比較する従来の模式断面図
【図７】本発明の実施の形態２のシーリングファンの内部構造を示す断面図
【図８】本発明の実施の形態３のシーリングファンの内部構造を示す断面図
【図９】本発明の実施の形態４のシーリングファンの温度過昇保護装置を示す部分下面図
【図１０】同シーリングファンの外転型電動機の上面図
【図１１】本発明の実施の形態５のシーリングファンの断面図
【図１２】本発明の実施の形態６のシーリングファンの断面図
【図１３】同シーリングファンに照明器具を取り付けた状態を示す側面図
【図１４】本発明の実施の形態７のシーリングファンの断面図
【図１５】同シーリングファンに照明器具を取り付けた状態を示す側面図
【図１６】従来の天井扇の縦断側面図
【図１７】同天井扇の分解断面図
【符号の説明】
【００９１】
１      中空軸
２      固定子
２Ａ    固定子
２Ｂ    固定子
２Ｃ    固定子
２Ｄ    固定子
３      回転子
３Ａ    回転子
４      上ころがり軸受
４Ａ    上ころがり軸受
５      下ころがり軸受
５Ａ    下ころがり軸受
５Ｂ    下ころがり軸受
６      上下ころがり軸受
７      軸受収納部
８      回転子支持部
８ａ    支点
９      内周面
１０    台座部
１０Ａ  台座部
１０Ｂ  台座部
１１    弾性体
１１Ａ  弾性体
１２    外転型電動機
１２Ａ  外転型電動機
１３    ブレード
１４    上開口部
１５    下開口部  
１６    上端部
１７    嵌入部
１８    導入部
１９    上端
１９Ａ  上端
２５    波ワッシャー
２６    固定子巻線
２７    温度過昇保護装置
２９    回路基板
３０    基板保持具
３１    検知手段
３２    照明取付部
３３    照明器具
３３Ａ  照明器具
３４    引掛ローゼット
【図１】
2008128027.tif 000003
【図２】
2008128027.tif 000004
【図３】
2008128027.tif 000005
【図４】
2008128027.tif 000006
【図５】
2008128027.tif 000007
【図６】
2008128027.tif 000008
【図７】
2008128027.tif 000009
【図８】
2008128027.tif 000010
【図９】
2008128027.tif 000011
【図１０】
2008128027.tif 000012
【図１１】
2008128027.tif 000013
【図１２】
2008128027.tif 000014
【図１３】
2008128027.tif 000015
【図１４】
2008128027.tif 000016
【図１５】
2008128027.tif 000017
【図１６】
2008128027.tif 000018
【図１７】
2008128027.tif 000019